(57)【要約】【課題】デザインの自由度が大きく、施工性にも優れるオーナメントを提供する。また、施工後のデザインの変更も容易なものとする。【解決手段】建物１の外壁面２に配設される飾りであるオーナメント１０、１１０であって、建物の躯体に直接固定される少なくとも１つの基礎部材２０、３０、１２０と、基礎部材に保持され、建物のいずれにも固定されない少なくとも１つの装飾部材４０、１４０とを備え、装飾部材の基礎部材への保持位置を任意に選択することが可能であることを特徴とする。【選択図】図２
2008184804.tif 000002
【特許請求の範囲】
【請求項１】
建物の外壁面に配設される飾りであるオーナメントであって、
前記建物の躯体に直接固定される少なくとも１つの基礎部材と、
前記基礎部材に保持され、前記建物のいずれにも固定されない少なくとも１つの装飾部材とを備え、
前記装飾部材の前記基礎部材への保持位置を任意に選択することが可能であることを特徴とするオーナメント。
【請求項２】
前記基礎部材が正面視で視認可能とされるとともに、該視認可能とされた部位が装飾の一部であることを特徴とする請求項１に記載のオーナメント。
【請求項３】
さらに前記装飾部材に着脱可能に配置される保持手段を有し、
前記基礎部材を前記装飾部材と前記保持手段との間で挟持することにより前記装飾部材が前記基礎部材に保持されることを特徴とする請求項１又は２に記載のオーナメント。
【請求項４】
前記保持手段、及び前記基礎部材が互いに係合する係合手段を有し、
前記基礎部材が前記装飾部材と前記保持手段との間で挟持された姿勢で、前記係合手段により前記基礎部材と前記装飾部材との位置ずれが生じないことを特徴とする請求項３に記載のオーナメント。
【請求項５】
請求項１〜４のいずれか一項に記載のオーナメントを前記建物の外壁面に配設する方法であって、
予め前記装飾部材を前記基礎部材に保持する工程と、
前記保持する工程により一体とされた前記オーナメントを前記建物の配設位置に移動させる工程と、
前記移動させる工程の後に前記基礎部材を前記建物の躯体に固定する工程とを含むオーナメントの配設方法。
【発明の詳細な説明】
【技術分野】
【０００１】
本発明は、建物外壁等に取り付けられる装飾品であるオーナメント、及びその配設方法に関する。
【背景技術】
【０００２】
従来より、建物外壁、特に切妻屋根の妻側壁面に妻飾りとしてオーナメント（装飾品）が取り付けられる場合がある。これにより建物にアクセントを与え、建物全体としての意匠性を向上させることができる。
【０００３】
従来におけるオーナメントは、該オーナメントを構成する複数の構成部材の各部材を建物外壁に木ネジ等の固定部材を用いて固定していた。その例として特許文献１にはオーナメントが開示されている。これによればオーナメントの外壁への取付部材である木ネジ等を腐食から防止する構成を有している。
【特許文献１】特開２００３−２５７９７号公報
【発明の開示】
【発明が解決しようとする課題】
【０００４】
しかし、近年において住宅を始めとする建物のデザインが多様化するとともに、施工主の個々の嗜好に合ったデザインを実現する建物が求められている。そして建物外装品の１つであるオーナメントも例外ではなく、施工主個々の希望を満たすオーナメントの提供が必要とされている。オーナメントは機能的なものではなく、むしろ装飾的な意味の強い要素なので、デザインの多様化が一層求められている。
【０００５】
ところが、特許文献１に記載のような従来のオーナメントにおいては、すでに決められた形状のオーナメントを外壁に取り付けるのみであるため、施工主は自身の好みに合わせてデザインの一部を変更をすることができなかった。
【０００６】
また、いくつかの部材を希望に合わせて組み合わせるオーナメントも一部で市販されているが、これは全ての構成部材をそれ毎に外壁に取り付ける構造のため、施工性や施工後の変更が困難であり、不具合を生じていた。
【０００７】
そこで本発明は、デザインの自由度が大きく、施工性にも優れるオーナメントを提供することを課題とする。また、施工後のデザインの変更も容易なものとする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、建物（１）の外壁面（２）に配設される飾りであるオーナメント（１０、１１０）であって、建物の躯体に直接固定される少なくとも１つの基礎部材（２０、３０、１２０）と、基礎部材に保持され、建物のいずれにも固定されない少なくとも１つの装飾部材（４０、１４０）とを備え、装飾部材の基礎部材への保持位置を任意に選択することが可能であることを特徴とするオーナメントにより前記課題を解決する。
【００１０】
請求項２に記載の発明は、請求項１に記載のオーナメント（１０、１１０）において、基礎部材（２０、３０、１２０）が正面視で視認可能とされるとともに、該視認可能とされた部位が装飾の一部であることを特徴とする。
【００１１】
ここで「装飾の一部」とは、オーナメント全体が有する意匠性、飾りとしての美観において、当該視認可能とされる部分がその一部を構成していることを意味する。
【００１２】
請求項３に記載の発明は、請求項１又は２に記載のオーナメント（１０、１１０）が、さらに装飾部材（４０、１４０）に着脱可能に配置される保持手段（５０）を有し、基礎部材（２０、３０、１２０）を装飾部材と保持手段との間で挟持することにより装飾部材が基礎部材に保持されることを特徴とする。
【００１３】
請求項４に記載の発明は、請求項３に記載のオーナメント（１０、１１０）において、保持手段（５０）、及び基礎部材（２０、３０、１２０）が互いに係合する係合手段（２３ａ、５３）を有し、基礎部材が装飾部材（４０、１４０）と保持手段との間で挟持された姿勢で、係合手段により基礎部材と装飾部材との位置ずれが生じないことを特徴とする。
【００１４】
請求項５に記載の発明は、請求項１〜４のいずれか一項に記載のオーナメント（１０、１１０）を建物（１）の外壁面（２）に配設する方法であって、予め装飾部材（４０、１４０）を基礎部材（２０、３０、１２０）に保持する工程と、保持する工程により一体とされたオーナメントを建物の配設位置に移動させる工程と、移動させる工程の後に基礎部材を建物の躯体に固定する工程とを含むオーナメントの配設方法により前記課題を解決する。
【発明の効果】
【００１５】
請求項１に記載の発明によれば、建物躯体に固定する部材、すなわち外壁に孔を開ける等の建物に加工を施す必要がある部材は基礎部材のみであり、装飾部材にはこれが必要ないので、施工の効率を向上させることができる。また、建物に加工を施すことによる不具合、例えば気密水密の問題が生じる可能性を小さく抑えることも可能となる。さらには、オーナメントは地上等で予め組み立てておくことができ、建物外壁面を前にして数多くの部材を取り扱う必要がなく、これによっても施工効率を向上させることが可能となる。
【００１６】
また、装飾部材の基礎部材への保持位置を任意に選択することができるので、各部材は共通であってもその配置により、利用者の好みによるデザインを創造することができ、部品の種類を増やすことなく、多種多様なデザインのオーナメントを提供することが可能である。
【００１７】
請求項２に記載の発明によれば、基礎部材もオーナメントの意匠性を向上するデザインの一部となるので、さらに多種多様なデザインのオーナメントを提供することができる。
【００１８】
請求項３に記載の発明によれば、基礎部材への装飾部材の保持を容易におこなうことができるとともに、分離も容易であるので、配置の微調整や、デザインの変更を簡潔に行うことができ、利用者の利便性、及び施工の容易を可能とする。
【００１９】
請求項４に記載の発明によれば、基礎部材と装飾部材との位置関係のずれをさらに防止することができる。
【００２０】
請求項５に記載の発明によれば上記したオーナメントを効率よく、安全に建物に取り付けることができる。
【００２１】
本発明のこのような作用及び利得は、次に説明する発明を実施するための最良の形態から明らかにされる。
【発明を実施するための最良の形態】
【００２２】
以下本発明を図面に示す実施形態に基づき説明する。
【００２３】
図１は第一実施形態に係る本発明のオーナメント１０、１０が取り付けられた建物１の正面図である。建物１は２階建てであり、１階には通常の建物が有する玄関扉３、窓４が配置され、２階にも窓５、６が具備されている。そして建物１の上部には屋根７が形成されている。図１の符号２は外壁面２を示している。本発明のオーナメント１０、１０は建物１の外壁面２の上部で屋根７の下方に取り付けられている。当該部位は切妻屋根の妻側壁面である。本実施形態では住宅に本発明のオーナメント１０、１０が取り付けられているが、これに限定されることなく、ビルや公共施設等あらゆる種類の建物に取り付け可能である。また、本実施形態では切妻屋根の妻側壁面にオーナメント１０、１０が取り付けられているが、配置される位置も特に限定されるものではなく利用者の好みに応じた位置に設置することができる。
【００２４】
図２は図１に表されたオーナメント１０、１０のうちの１つに注目して示した図である。また、図３にはオーナメント１０の断面図（端面図）を示した。図３（ａ）は図２にＡ−Ａで示した線に沿った部分の断面図、図３（ｂ）は図２にＢ−Ｂで示した線に沿った部分の断面図である。以下に図２、図３及び適宜示す図を参照しつつオーナメント１０の構成について説明する。
【００２５】
オーナメント１０は、基礎部材としての線状部材２０、３０、及び装飾部材としての面材４０を備えている。ただし線状部材２０、３０は基礎部材ではあるが正面視でその一部が視認され、この部分でオーナメントのデザインの一部となっている。さらに、オーナメント１０は、線状部材２０、３０に面材４０を保持するための保持部材５０、５０を具備している。さらに詳しくは次の通りである。
【００２６】
線状部材２０は、上述したように、線状の基礎部材であるとともにオーナメント１０のデザインの一部とされている。さらに線状部材２０は、オーナメント１０を建物１の外壁面２に取り付けるための構成、及び面材４０を保持するための構成も備えている。図４（ａ）は線状部材２０の背面図（図２に表れる線状部材２０を正面図とする。）、図４（ｂ）は、図４（ａ）にＣ−Ｃで示した線に沿った断面図、図４（ｃ）は、図４（ａ）にＤ−Ｄで示した線に沿った断面図である。線状部材２０は、横断面が略Ｈ型を有した長尺部材である。そして該Ｈ型断面において間に具備される部材２３は、図４（ｂ）からわかるようにその一面側に長手方向に凹凸を繰り返してなる波状面２３ａを有している。また、線状部材２０の長手方向両端には、該線状部材２０の上記波状面２３ａの凹凸が形成された面側から凹凸の高さ方向に２つの円筒部材２４、２４が突設され、該円筒部材２４、２４の先端側端部は開口が狭く形成されている。当該波状面２３ａは、後述する保持部材５０との係合手段となるものである。
【００２７】
線状部材３０は、線状部材２０と同様、線状の基礎部材であるとともにオーナメント１０のデザインの一部とされている。さらに線状部材３０は、オーナメント１０を建物１の外壁面２に取り付けるための構成、及び面材４０を保持するための構成も備えている。線状部材２０が直線状であるのに対し、線状部材３０は湾曲した部材である点が異なる。図５（ａ）は線状部材３０の背面図（図２に表れる線状部材３０を正面図とする。）、図５（ｂ）は、図５（ａ）にＥ−Ｅで示した線に沿った断面図ある。線状部材３０は、横断面が略Ｈ型を有した長尺部材である。そして該Ｈ型断面において間に具備される部材３３は、図５（ｂ）からわかるようにその一面側に長手方向に凹凸を繰り返してなる波状面３３ａを有している。また、線状部材３０の長手方向両端には、該線状部材３０の上記波状面３３ａの凹凸が形成された面側から凹凸の高さ方向に２つの円筒部材３４、３４が突設され、該円筒部材３４、３４の先端側端部は開口が狭く形成されている。当該波状面３３ａは、後述する保持部材５０との係合手段となるものである。
【００２８】
面材４０は、矩形の装飾部材である。図６には、面材４０の背面（図２に表れた面材４０を正面とする。）側から見た斜視図を、図７には面材４０の背面図及び断面図を示した。図７（ａ）は面材４０の背面図、図７（ｂ）は図７（ａ）にＦ−Ｆで示した線に沿った断面図、図７（ｃ）は図７（ａ）にＧ−Ｇで示した線に沿った断面図である。
【００２９】
面材４０は、面状の板材で一方の面が意匠面である面板４１、及び該面板４１の意匠面とは反対側の面の縁に沿って枠状に設けられる枠体４２を備えている。枠体４２の面板４１が備えられる側とは反対側の面には所定の位置にねじ孔４３、４３、…が設けられている。
【００３０】
本実施形態で面材４０は正面視（図２参照）において矩形であるが、矩形であることに限定されるものではなく、円形、楕円形、三角形、五角形等あらゆる形状とすることができる。これによりさらにデザインの組み合わせに幅を持たせることが可能となる。
【００３１】
保持部材５０は、面材４０の保持手段であり、上記線状部材２０、３０に面材４０を保持するコ字状の部材である。図８（ａ）に保持部材５０の平面図、図８（ｂ）に保持部材５０の正面図を示した。保持部材５０は２つの円筒部材５２、５２と、該円筒部材５２、５２の一端同士を掛け渡すように設けられた板材５１とを有している。また、板材５１の円筒部材５２、５２側面で該円筒部材５２、５２間の略中央には円錐状の突起５３が具備されている。当該突起５３は、上述した線状部材２０、３０との係合手段となるものである。
【００３２】
また、図９には保持部材５０の変形例である保持部材５０’の正面図を示した。保持部材５０’は保持部材５０における突起５３が設けられていない例である。
【００３３】
以上のような各構成部材が次のように組み立てられることによりオーナメント１０が形成される。図２、図３及び適宜示す図を参照しつつオーナメント１０の組み立て及び設置方法の一例について説明する。
＜面材の配置４０＞
はじめに施工者は地上において面材４０の装飾面を下に、枠体４２を上向きにして置く。
＜線状部材２０の配置＞
次に線状部材２０を面材４０に対して図１の位置関係となるように枠体４２の上に載置する。
＜線状部材２０の面材４０への固定＞
保持部材５０のコ字状である内側に線状部材２０を囲うように該保持部材５０を面材４０に固定する。具体的には、保持部材５０を面材４０の枠体４２に取り付け、この際、保持部材５０の板材５１と枠体４２との間に線状部材２０を挟持する。このとき、当該板材５１に設けられた突起５３（図８参照）を線状部材２０の部材２３の波状面２３ａの凹凸（図４（ｂ）参照）の凹部に係合させる。これにより線状部材２０の位置ずれを防止することが可能となる。
保持部材５０の枠体４２への固定は、保持部材５０の円筒部材５２、５２の中空部５２ａ、５２ａ（図８参照）を貫通し、枠体４２、４２に設けられたねじ孔４３、４３に達する固定部材２８、２８により行われる（図３（ａ）参照）。保持部材による面材４０と線状部材２０との固定は２箇所で行われ、一方は保持部材５０で、他方は保持部材５０’による。
【００３４】
＜線状部材３０の面材４０への固定＞
保持部材５０のコ字状である内側に線状部材３０を囲うように該保持部材５０を面材４０に固定する。具体的には、保持部材５０を面材４０の枠体４２に取り付け、この際、保持部材５０の板材５１と枠体４２との間に線状部材３０を挟持する。このとき、当該板材５１に設けられた突起５３（図８参照）を線状部材３０の部材３３の波状面３３ａの凹凸（図５（ｂ）参照）の凹部に係合させる。これにより線状部材３０の位置ずれを防止することが可能となる。
保持部材５０の枠体４２への固定は、保持部材５０の円筒部材５２、５２の中空部５２ａ、５２ａ（図８参照）を貫通し、枠体４２、４２に設けられたねじ孔４３、４３に達する固定部材２８、２８により行われる（図３（ａ）参照）。保持部材による面材４０と線状部材３０との固定は２箇所で行われ、一方は保持部材５０で、他方は保持部材５０’による。
【００３５】
以上のように本発明のオーナメント１０は、予め地上で組み立てることができ、構成要素ごとに外壁に固定するものに比べ作業性、及び安全性を向上させることができる。また、予め地上で組み立てることができるので、組み立て時に面材の配置等を相談しながら決めることが可能であり、かかる意味でも利便性の高いオーナメントを提供することできる。
【００３６】
また、後で実施例で示すように、本発明のオーナメントでは、面材の数量、向き、位置を大きな自由度を有して決めることができる。これにより施工主の好みによってオーナメントのデザインを決めることができる。
【００３７】
さらに地上で組み上げたオーナメント１０を例えば次のように建物１の外壁面２に取り付ける。
＜オーナメント１０の外壁面２への取り付け＞
以上のように地上で組み上げられたオーナメント１０は、足場等により設置面に移動される。そして、オーナメント１０は、図３（ｂ）に示したように円筒部材２４、２４、３４、３４を介して建物躯体に達する固定部材１２、１２、１４、１４により外壁面２に固定される。オーナメントの取り付けはこのように建物への穴あけが必要になるが、本発明のオーナメント１０では建物１に直接取り付けられる部分を少なく抑えることができる。これにより建物に孔をあけることにより生じる不具合を最小限とすることが可能となる。
【００３８】
また、本発明のオーナメント１０では、上記構成により装飾部材４０は後から配置の変更や追加、除去等が容易であり、これにより外壁面に影響を及ぼすことがない。従って最初に採用したデザインを例えば数年後に模様替えしたり、居住者が変わったときに変更することも容易である。
【００３９】
図１０、図１１には第二実施形態に係る本発明のオーナメント１１０を示した。図１０はオーナメント１１０の正面図、図１１はオーナメント１１０を背面からみた斜視図である。オーナメント１１０では、第一実施形態に係る本発明のオーナメント１０が有する線状部材２０、３０の代わりに、矩形枠状の基礎部材である枠状部材１２０が適用されている。そして該枠状部材１２０の一面側に装飾部材である面材１４０、１４０、１４０、１４０が取り付けられている。
【００４０】
枠状部材１２０の構成は、線状部材２０、３０が矩形に形成されたのみでその構成は概ね同じである。筒状部材１２４、１２４、１２４、１２４は、枠を構成する各辺の略中央に設けられているので合計４つの筒状部材１２４、１２４、１２４、１２４が具備されている。面材１４０、１４０、１４０、１４０は第一実施形態で用いた面材４０と同じものを利用することができる。
【００４１】
また、枠状部材１２０と面材１４０、１４０、１４０、１４０との連結に関しては、見易さのため図１１では保持部材５０に相当する部材は省略しているが、本実施形態でも第一実施形態のオーナメント１０と同様の保持手段を採用することができる。
【００４２】
このように、本発明のオーナメントは部品、部材の種類を少なく抑えつつも数多くのデザインのオーナメントの形成を可能とする。これは、例えばカタログ等に表れていない形状を利用者が独自にデザインすることができることを意味し、利用者に創造的な意欲を与えることも可能である。
【００４３】
本発明のオーナメントをさらに詳しく説明するために以下に実施例をしめす。ただし、本発明はこれら実施例に限定されるものではない。
【実施例】
【００４４】
実施例では、図１２、図１３に（ａ）〜（ｗ）で線状部材と面材との組み合わせ例を挙げた。ここでは見易さのため符号は省略するが、これら実施例で用いられる各部材は上記の説明が該当する。
【００４５】
このように、本発明により様々なデザインのオーナメントを形成することができる。ここに例示した組み合わせはその一部に過ぎず、利用者の好み、発想によりさらに他のデザインのオーナメントを形成することが可能である。
【００４６】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴うオーナメント及びその設置方法もまた本発明の技術的範囲に包含されるものとして理解されなければならない。
【図面の簡単な説明】
【００４７】
【図１】第一実施形態に係る本発明のオーナメントが建物に備えられた場面における該建物の正面図である。
【図２】図１に表れたオーナメントの正面図である。
【図３】図２に示したオーナメントの断面図（端面図）である。
【図４】直線の線状部材の背面図、及び断面図である。
【図５】湾曲した線状部材の背面図、及び断面図である。
【図６】面材を背面から見た斜視図である。
【図７】面材の背面図、及び断面図である。
【図８】保持部材の平面図、及び正面図である。
【図９】他の例の保持部材の正面図である。
【図１０】第二実施形態に係る本発明のオーナメントの正面図である。
【図１１】図１０に示したオーナメントを背面から見た斜視図である。
【図１２】実施例のうち（ａ）〜（ｋ）のオーナメントデザイン例を示す図である。
【図１３】実施例のうち（ｌ）〜（ｗ）のオーナメントデザイン例を示す図である。
【符号の説明】
【００４８】
１  建物
２  外壁面
３  玄関扉
４、５、６  窓
７  屋根
１０  オーナメント
１１、１２、１３、１４  固定部材
２０  線状部材（基礎部材）
２４  筒状部材
３０  線状部材（基礎部材）
３４  筒状部材
４０  面材（装飾部材）
４１  面板
４２  枠体
４３  ねじ孔
５０  保持部材（保持手段）
５１  板材
５２  円筒部材
５３  突起（係合手段）
１１０  オーナメント
１２０  枠状部材（基礎部材）
１４０  面材（装飾部材）
【図１】
2008184804.tif 000003
【図２】
2008184804.tif 000004
【図３】
2008184804.tif 000005
【図４】
2008184804.tif 000006
【図５】
2008184804.tif 000007
【図６】
2008184804.tif 000008
【図７】
2008184804.tif 000009
【図８】
2008184804.tif 000010
【図９】
2008184804.tif 000011
【図１０】
2008184804.tif 000012
【図１１】
2008184804.tif 000013
【図１２】
2008184804.tif 000014
【図１３】
2008184804.tif 000015